(57)【特許請求の範囲】
【請求項１】
前面に遊技領域を有すると共に開口が形成された透明樹脂製の遊技盤と、背面側に回路基板を搭載した枠状のセンター役物とを備え、前記センター役物が前記開口の前面側から挿入されて前記遊技盤に固定されると共に、前記回路基板から導出するワイヤーハーネスが前記遊技盤の背面側を通って外縁側まで引き回されるようになっている遊技機において、
前記センター役物の裏面に前記ワイヤーハーネスを収納すると共に移動可能に保持する装飾保護部材が設けられており、
前記装飾保護部材は、前記センター役物に第１回転軸を中心に回転可能に軸支された第１部材と、この第１部材の先端側に前記第１回転軸と直交する第２回転軸を中心に回転可能に軸支された第２部材とを有しており、
前記第１部材と前記第２部材が、互いに折り畳まれて前記開口の内側領域に位置する退避姿勢と、直線状に延ばされて前記遊技盤の背面に沿って前記開口の外側領域に位置する突出姿勢との両位置に移動可能であることを特徴とする遊技機。
【発明の詳細な説明】
【技術分野】
【０００１】
本発明は、遊技球を用いて遊技を行うパチンコ機等の遊技機に係り、特に、前面に遊技領域が形成された透明樹脂製の遊技盤を用いた遊技機に関するものである。
【背景技術】
【０００２】
パチンコ機に代表される遊技機の中には、遊技盤の遊技領域に可変表示装置や始動入賞口等を設け、遊技領域に向けて打ち出された遊技球が始動入賞口に入賞したことを契機に電子抽選を行い、その抽選結果に基づいて可変表示装置が図柄の変動表示および停止表示を行うようにした機種が存在する。電子抽選の抽選結果には当たり（当選）とハズレ（非当選）があり、抽選結果が当たりの場合には、可変表示装置に所定の特別図柄の組合せが表示され、通常モードから特別遊技モードへと移行する。この特別遊技モードでは、例えばアタッカーが開放動作して露呈された大入賞口に遊技球が入るので、遊技者は多くの賞球を獲得することができる。また、可変表示装置は遊技盤の中央部に固定された枠状のセンター役物によって包囲されており、このセンター役物は遊技盤に形成された開口の前面側から挿入されて固定されるようになっている。
【０００３】
遊技盤としては前面に装飾を施したベニア等の木板が広く用いられているが、アクリル樹脂等で成形された透明樹脂製の遊技盤を用い、その背面に対向配置した装飾役物部材を遊技者側から視認可能としたものも知られている。このような透明遊技盤を用いた場合、センター役物にセンサ等の電気部品やそれに接続された中継基板が搭載されていると、その中継基板を装飾役物部材の背面側等に設けられた制御基板とワイヤーハーネスを介して接続する必要があるため、このワイヤーハーネスが透明遊技盤を透して遊技者側から見えてしまうことになる。そこで従来より、透明遊技盤の背面にワイヤーハーネスの引き回し経路に沿って延びる遮蔽部材を貼着等により固定し、この遮蔽部材によってワイヤーハーネスを目立たなくするようにした遊技機が提案されている（例えば、特許文献１参照）。この遮蔽部材は半透明のシール部材によって構成されており、その前面に特定態様を表現する文字や模様等が描かれているため、遊技者側から見ると遮蔽部材を透して見えている影がワイヤーハーネスだとは認知できず、遊技者はワイヤーハーネスの影を遮蔽部材に描かれた特定態様（文字や模様等）の一部として感じることになる。
【先行技術文献】
【特許文献】
【０００４】
【特許文献１】特開２０１１−１６０８５０号公報
【発明の概要】
【発明が解決しようとする課題】
【０００５】
特許文献１に開示された従来の遊技機では、透明遊技盤の背面に付設した遮蔽部材によってワイヤーハーネスの存在を目立たなくしているが、ワイヤーハーネスは自重や外部振動等で容易に変形する可撓性部材であるため、遮蔽部材に描かれた特定態様に対してワイヤーハーネスの影が位置ずれしてしまうことがあり、その場合、ワイヤーハーネスの存在が却って目立ってしまうことになる。また、複数本のワイヤーハーネスを一纏めに束ねた状態で遮蔽部材の後方に引き回す場合、結束バンドや粘着テープ等のばらけ防止処理を施して各ワイヤーハーネスを一体化する必要があるため、ワイヤーハーネスの引き回し作業が煩雑になるという問題があった。
【０００６】
本発明は、このような従来技術の実情に鑑みてなされたもので、その目的は、透明樹脂製の遊技盤の後方に意匠性を損なうことなく簡単にワイヤーハーネスを引き回すことができる遊技機を提供することにある。
【課題を解決するための手段】
【０００７】
上記の目的を達成するために、本発明は、前面に遊技領域を有すると共に開口が形成された透明樹脂製の遊技盤と、背面側に回路基板を搭載した枠状のセンター役物とを備え、前記センター役物が前記開口の前面側から挿入されて前記遊技盤に固定されると共に、前記回路基板から導出するワイヤーハーネスが前記遊技盤の背面側を通って外縁側まで引き回されるようになっている遊技機において、前記センター役物の裏面に前記ワイヤーハーネスを収納すると共に移動可能に保持する装飾保護部材が設けられており、前記装飾保護部材は、前記センター役物に第１回転軸を中心に回転可能に軸支された第１部材と、この第１部材の先端側に前記第１回転軸と直交する第２回転軸を中心に回転可能に軸支された第２部材とを有しており、前記第１部材と前記第２部材が、互いに折り畳まれて前記開口の内側領域に位置する退避姿勢と、直線状に延ばされて前記遊技盤の背面に沿って前記開口の外側領域に位置する突出姿勢との両位置に移動可能であるという構成にした。
【０００８】
このように構成された遊技機では、センター役物の背面側に搭載した回路基板から導出するワイヤーハーネスが装飾保護部材によって収納されると共に移動可能に保持されており、この装飾保護部材が互いの回転軸を直交させた関節構造の第１部材と第２部材とを有しているため、第１部材に対して第２部材を折り畳んで退避姿勢にして開口の内側領域に位置させることにより、センター役物を開口の前面側から挿入して透明樹脂製の遊技盤に固定することができ、しかる後、遊技盤の背面側で第１部材と第２部材を直線状に延ばして突出姿勢にして開口の外側領域に位置させることにより、ワイヤーハーネスを装飾保護部材に収納・保持されたままの状態で遊技盤の外縁側まで引き回すことができる。したがって、遊技盤を透して遊技者側から見えるのは装飾保護部材だけとなり、ワイヤーハーネスは遊技者側から見えなくなるため、例えば、装飾保護部材をそれ自身が意匠部品であるかのように装飾したり、装飾保護部材の色彩を背景色と同一にして目立たなくすることにより、透明樹脂製の遊技盤の後方に意匠性を損なうことなく簡単にワイヤーハーネスを引き回すことができる。
【発明の効果】
【００１１】
本発明の遊技機では、透明樹脂製の遊技盤の後方に意匠性を損なうことなく簡単にワイヤーハーネスを引き回すことができる。
【図面の簡単な説明】
【００１２】
【図１】本発明の実施形態例に係る遊技機を正面側から見た斜視図である。
【図２】該遊技機の背面図である。
【図３】該遊技機に備えられる遊技盤ユニットの正面図である。
【図４】該遊技盤ユニットの斜視図である。
【図５】該遊技盤ユニットの構成部材であるセンター役物の斜視図である。
【図６】該遊技盤ユニットの構成部材である遊技盤の斜視図である。
【図７】該遊技盤ユニットの構成部材である装飾役物部材の斜視図である。
【図８】該センター役物を遊技盤に組み込む作業を前面側から見た斜視図である。
【図９】該センター役物を遊技盤に組み込む作業を背面側から見た斜視図である。
【図１０】該センター役物を遊技盤に組み込んだ状態を背面側から見た斜視図である。
【図１１】該センター役物に設けられた装飾保護部材の退避状態を示す斜視図である。
【図１２】該装飾保護部材を突出姿勢にする途中状態の斜視図である。
【図１３】該装飾保護部材の突出状態を示す斜視図である。
【発明を実施するための形態】
【００１３】
発明の実施の形態について図面を参照して説明すると、図１に示すように、本発明の実施形態例に係る遊技機（パチンコ機）は、遊技場の島設備に設置される縦長方形状の機枠１と、機枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１４】
機枠１の左下隅部には大型のスピーカ５が配設されており、このスピーカ５はガラス扉３の切り欠き内に位置して前方に露出している。機器本体２の上部内側には後述する遊技盤ユニット６が収納されており、この遊技盤ユニット６に設けられた遊技盤７の盤面（前面）は透明板４を透して目視可能となっている。また、機器本体２の右側枠部にはシリンダ錠８ａを有する施錠装置８が設置されており、図示省略されているが、この施錠装置８は機器本体２の裏面に配置された後部施錠杆と機器本体２の前面に配置された前部施錠杆とを備えている。常態では、施錠装置８の後部施錠杆によって機枠１に対して機器本体２が施錠されると共に、前部施錠杆によって機器本体２に対してガラス扉３が施錠されている。そして、シリンダ錠８ａの鍵穴に図示せぬ鍵を差し込み、この鍵を一方向（例えば時計回り）へ回動すると、後部施錠杆が下動して機器本体２が開錠されるようになっている。また、シリンダ錠８ａの鍵穴に差し込んだ鍵を他方向（反時計回り）へ回動すると、前部施錠杆が上動してガラス扉３が開錠されるようになっている。
【００１５】
ガラス扉３には遊技盤７の盤面に対向する大きな開口３ａが開設されており、この開口３ａは透明板４によって塞がれている。ガラス扉３の前面上部には比較的小型のスピーカ９が左右に１個ずつ配設されており、これらスピーカ９と前述した大型のスピーカ５とによって遊技に関する様々な効果音を発するようになっている。さらに、ガラス扉３の前面下部には、遊技盤ユニット６の裏面に配設された賞球払出装置（後述する）から払い出された遊技球を収容する上段受皿１０と、上段受皿１０から排出された遊技球を収容する下段受皿１１と、遊技者による押下操作が可能なプッシュ釦１２とが設けられており、上段受皿１０の右側方には図示せぬ発射装置の発射強度を調整するための操作ハンドル１３が配設されている。
【００１６】
図２に示すように、遊技盤ユニット６の裏面側には、遊技に関する主要な処理を行う主制御処理部１４と、主制御処理部１４からの指令を受けて前述したスピーカ５，９や後述する可変表示装置２４や可動役物装置４０等の各種装置を制御する副制御処理部１５と、前述した賞球払出装置１６と、主制御処理部１４からの指令を受けて賞球払出装置１６を制御する払出制御処理部１７と、操作ハンドル１３の回動操作量に応じて前記発射装置の作動を制御する発射制御処理部１８と、賞球数や大当たり回数等の各種情報を遊技場のホールコンピュータに出力する外部端子基板１９等が設けられている。主制御処理部１４は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００１７】
図３と図４に示すように、遊技盤ユニット６は、前述した遊技盤７とその後方に配置された装飾役物部材２０とで構成されており、これら遊技盤７と装飾役物部材２０はネジ止めやスナップ結合等により一体化されている。遊技盤７はアクリル樹脂等の無色透明な合成樹脂材料を用いて成形されており、この遊技盤７の前面に形成された遊技領域２１がガラス扉３の透明板４を透して外部から目視可能となっている。遊技領域２１は遊技盤７の前面と透明板４の裏面との間にできる空間であって、遊技盤７に設けられたガイドレール２２等によって略円形状に区画形成されている。そして、遊技者が操作ハンドル１３を回転操作すると、前記発射装置から遊技領域２１の上部に向けて遊技球が打ち出された後、この遊技球が遊技領域２１内を流下するようになっている。遊技領域２１には開口部２３ａを有する枠状のセンター役物２３が配置されており、装飾役物部材２０に組み込まれた可変表示装置２４の表示画面がセンター役物２３の開口部２３ａから露出している。
【００１８】
センター役物２３には、可動片によって塞がれた大入賞口２５ａの開閉制御を行うアタッカー装置２５や、開口部２３ａの下辺前縁側に位置するステージ２６や、ワープ通路２７、大入賞排出通路２５ｂ等が設けられており、アタッカー装置２５は開口部２３ａの左側辺に配置されている。ワープ通路２７の一端部はアタッカー装置２５の下方位置で遊技領域２１に向けて開口しており、ワープ通路２７の他端部はステージ２６に向けて開口している。ステージ２６は開口部２３ａの下辺の略中央部に向かって左右方向へ湾曲するように延びており、その中央部に形成された前傾斜溝が導出口２６ａに連通している。したがって、遊技領域２１を流下する遊技球がワープ通路２７内に入ると、この遊技球はワープ通路２７を通ってステージ２６上に排出された後、ステージ２６上を転動して導出口２６ａから遊技領域２１の前方に落下する。また、ステージ２６の後ろ側には仕切り壁４２が設けられており、この仕切り壁４２によって仕切られた後領域もステージ２６と同様に左右方向へ湾曲するように延びている。この後領域の略中央部には大入賞排出口（図示せず）が設けられており、大入賞口２５ａに入った遊技球は大入賞排出通路２５ｂを経由してこの大入賞排出口に到達するようになる。
【００１９】
遊技盤７の遊技領域２１内には、振分装置２８と、スルーチャッカー２９と、複数の一般入賞口３０と、アウト口３１の他、図示せぬ遊技釘や風車等が設けられており、遊技盤７の右下隅部には特別図柄表示装置３２と普通図柄表示装置３３が近接状態で設けられている。振分装置２８は上端に遊技球の導入口２８ａを有しており、その内部に第１始動入賞口３４と第２始動入賞口３５が設けられている。振分装置２８の導入口２８ａはステージ２６の導出口２６ａの真下に位置しており、導出口２６ａから落下する遊技球は高確率で振分装置２８の導入口２８ａに流入する。図示省略されているが、振分装置２８の内部には二股球通路とシーソー状の振分機構が収納されており、この振分機構によって導入口２８ａから流入した遊技球は二股球通路を介して第１始動入賞口３４と第２始動入賞口３５とに交互に導かれるようになっている。第１始動入賞口３４の上部には一対の可動片３４ａが設けられており、これら可動片３４ａは動作制御に基づいて、第１始動入賞口３４の開口を拡大（入賞容易化）させる第１可動位置と、第１可動位置よりも第１始動入賞口３４の開口を縮小させる第２可動位置とに移動する。同様に、第２始動入賞口３５の上部にも一対の可動片３５ａが設けられており、これら可動片３５ａも動作制御に基づいて、第２始動入賞口３５の開口を拡大させる第１可動位置と、第１可動位置よりも第２始動入賞口３５の開口を縮小させる第２可動位置とに移動する。
【００２０】
遊技盤７の盤面に露出する上記各部材について簡単に説明すると、可変表示装置２４は第１始動入賞口３４と第２始動入賞口３５のいずれか一方に遊技球が入賞することを契機に行われる特別図柄に係る電子抽選の結果に基づいて所定の演出態様を表示するためのものであり、本実施形態例ではＬＣＤ（液晶表示装置）が用いられている。この可変表示装置２４には、所定の演出態様の一部として、特別図柄表示装置３２に変動表示される特別図柄の組合せ及び変動表示時間と同期をとって演出用図柄が変動表示されると共に停止表示されるようになっている。特別図柄表示装置３２は、第１始動入賞口３４と第２始動入賞口３５のいずれか一方に遊技球が入賞することを契機に行われる特別図柄に係る電子抽選の結果（大入賞口を開閉可能な状態にするか否か）を、組合せ停止態様で報知するよう特別図柄の表示をするためのものであり、本実施形態例では７セグメント表示器が用いられている。普通図柄表示装置３３は遊技球がスルーチャッカー２９を通過することを契機に行われる普通図柄に係る電子抽選の結果（始動入賞口を開閉可能な状態にするか否か）を、組合せ停止態様で報知するよう普通図柄の表示をするためのものであり、本実施形態例では２つのＬＥＤランプが用いられている。
【００２１】
アタッカー装置２５は、第１始動入賞口３４と第２始動入賞口３５のいずれか一方に遊技球が入賞することを契機に行われる特別図柄に係る電子抽選の結果、当たり（特図当たり）となって大当たり遊技に移行した場合に作動される装置である。具体的には、特別図柄に係る抽選結果が当たり（特別図柄表示装置３２の特別図柄が予め定められた特定の停止態様となる）の場合、可変表示装置２４の表示画面上で演出用図柄の変動表示をさせた後に、変動停止させた演出用図柄の停止表示態様を例えば「７７７」のように停止させる。そして、同期する特別図柄表示装置３２の特別図柄が予め定められた特定の停止態様となることを契機に、アタッカー装置２５の可動片が大入賞口２５ａを露呈させる１ラウンドの開放処理を複数ラウンド繰り返す大当たり状態となり、遊技領域２１を流下する遊技球が露呈した大入賞口２５ａに入ると、前述したように、この遊技球は大入賞排出通路２５ｂを経由してステージ２６の後方の大入賞排出口へと導かれる。アタッカー装置２５は、１回の開放動作（１ラウンド）について例えば３０秒経過するまで、あるいは遊技球が大入賞口２５ａに例えば１０個入るまで開放状態を維持し、かかる開放動作を例えば１５回繰り返した後に大当たり遊技が終了する。また、第１始動入賞口３４と第２始動入賞口３５、大入賞口２５ａ、一般入賞口３０には、遊技球が入ったことを検知するためのセンサ（図示せず）がそれぞれ設けられており、これらセンサの検出に基づいて賞球払出装置１６は所定個数の遊技球を賞球として上段受皿１０（遊技者）に払い出す。そして、振分装置２８の導入口２８ａや一般入賞口３０等に入らなかった遊技球は、遊技領域２１の最下端部に設けられたアウト口３１から遊技盤７の裏面側に排出されるようになっている。
【００２２】
図５と図６に示すように、前記遊技盤７の中央部には大きな開口７ａが設けられており、センター役物２３はこの開口７ａの前面側から挿入されて遊技盤７に固定されるようになっている。かかるセンター役物２３の組み込み作業については後ほど詳細に説明するが、組み込み完了後のセンター役物２３の開口部２３ａは遊技盤７の開口７ａ内において前後に貫通した状態となる。図示省略されているが、センター役物２３にはアタッカー装置２５の可動片を駆動するソレノイドや大入賞口２５ａに入った遊技球を検出するセンサ等の電気部品が搭載されており、これら電気部品は後述する中継基板３６（図１０参照）に接続されている。この中継基板３６は複数本のワイヤーハーネス３７を介して前記主制御処理部１４の制御基板（メイン基板）に接続されており、ワイヤーハーネス３７は所定範囲に亘り装飾保護部材３８によって被覆されている。
【００２３】
図７に示すように、装飾役物部材２０には可変表示装置２４が組み込まれると共に、この可変表示装置２４の表示画面を取り囲むように、パトランプを模した演出ランプ３９や、蝶を模した複数の可動役物装置４０や、平面かつ湾曲状に広がる虹を模した複数の装飾体４１等が配設されている。遊技盤７と装飾役物部材２０を一体化した遊技盤ユニット６において、演出ランプ３９と各可動役物装置４０はセンター役物２３の開口部２３ａを通って遊技盤７の前面側に露出するが、虹を模した装飾体４１は遊技盤７に覆われて裏面側に対向配置される。したがって、虹を模した装飾体４１は透明な遊技盤７を透して遊技者側から目視され、遊技盤７の遊技領域２１内に恰も虹が存在するような意匠形態を表現できる。なお、装飾体４１は図３と図４において図示省略されているが、実際は透明な遊技盤７を透して装飾体４１が目視されるようになっている。同様に、前記装飾保護部材３８は、図３において破線で示されると共に図４において図示省略されているが、実際は透明な遊技盤７を透して目視されるようになっている。
【００２４】
図８〜図１０に示すように、センター役物２３には、遊技盤７の開口７ａ内に前面（遊技領域）側から挿入されると共に、該開口７ａの外周形状に沿って形成された略環状の突堤壁２３ｂと、突堤壁２３ｂから略直交する外側へ短く突出する薄板状で、遊技盤７の前面と接触することで当該挿入方向への移動を規制する平面状部ＨＭを備えた鍔部２３ｃとが形成されており、この鍔部２３ｃをネジ止め（周知の所定固定方法）することにより遊技盤７にセンター役物２３が固定されるようになっている。また、センター役物２３の開口部２３ａの周囲裏面側には、前述した中継基板３６と、この中継基板３６の大部分を覆う保持カバー４３とがそれぞれネジ止め（周知の所定固定方法）により固定されており、保持カバー４３に前記装飾保護部材３８が回転可能に取り付けられている。図１１〜図１３に示すように、この装飾保護部材３８は、保持カバー４３の側壁から突出する第１軸受突部４３ａに回転可能に軸支された第１部材３８ａと、第１部材３８ａの先端側に回転可能に軸支された第２部材３８ｂと、第２部材３８ｂに一体化された蓋部材３８ｃとで構成されており、互いに直交する２つの回転軸Ｑ１，Ｑ２を有する関節構造となっている。
【００２５】
第１部材３８ａは、遊技盤７の裏面と対向する側を閉塞して反対側を開口した断面凹形状の比較的短尺な樹脂成形品であり、その内部にワイヤーハーネス３７を挿通可能かつ引っ張り出し自在としている。この第１部材３８ａは、基端側に突設された軸を保持カバー４３の第１軸受突部４３ａに設けられた軸受孔部に挿入することにより、回転軸Ｑ１を中心に図１１に示す退避姿勢と図１３に示す突出姿勢との間を回転可能となっている。ここで、第１部材３８ａは、退避姿勢でセンター役物２３の裏面側に完全に隠れた状態（突堤壁２３ｂの環状内部領域側寄りに位置する回転位置状態）となり、突出姿勢で先端部だけがセンター役物２３の外縁部から突出した状態（突堤壁２３ｂの環状内部領域よりも外側寄りに位置する回転位置状態）となる。
【００２６】
第２部材３８ｂは、突出姿勢で遊技盤７の裏面と対向する側を閉塞して反対側を開口した第１部材３８ａよりも長尺な断面凹形状の樹脂成形品であり、その内部にワイヤーハーネス３７を挿通可能かつ引っ張り出し自在としている。第２部材３８ｂの長手方向の一端側には一対の第２軸受突部３８ｄが形成されており、これら第２軸受突部３８ｄの内面から突出する軸の先端どうしは所定の間隔ＳＫをあけて対向している。そして、第１部材３８ａの両側壁３８ａ−１，３８ａ−２（図１３参照）の先端側（第１軸受突部４３ａと反対側）に設けられた軸受孔部に対して、第２軸受突部３８ｄの軸を外面側から内方へ向けて挿入することにより、第２部材３８ｂが第１部材３８ａの先端側に回転可能に軸支されている。
【００２７】
蓋部材３８ｃは第２部材３８ｂの開口端にネジ止め（周知の所定固定方法）等を用いて固定され、この蓋部材３８ｃによって第２部材３８ｂの凹所内に挿通されたワイヤーハーネス３７の移動（図１３中では前後方向の移動）が規制されている。なお、蓋部材３８ｃは透明な樹脂板からなり、第２部材３８ｂの凹所内で移動規制されたワイヤーハーネス３７の様子を外部から監視できるようにしている。これにより、第２部材３８ｂと蓋部材３８ｃの間にワイヤーハーネス３７を挿通可能かつ引っ張り出し自在とする収納空間が確保され、前述した所定の間隔ＳＫはワイヤーハーネス３７が挿通される空間の一部となる。よって、中継基板３６に接続された複数本のワイヤーハーネス３７は、一束状になるようにして第１部材３８ａの導入口３８ｅから凹所内に挿入された後、第１部材３８ａの凹所と第２部材３８ｂの収納空間内を通って、第２部材３８ｂの先端（第２軸受突部３８ｄと反対側）の導出口３８ｆから引っ張り出されることとなる。なお、こうして第２部材３８ｂから導出されたワイヤーハーネス３７の先端には、主制御処理部１４の制御基板等の所定基板と接続するためのコネクタ（図示せず）が取り付けられている。
【００２８】
第２部材３８ｂは第１部材３８ａに回転軸Ｑ２を中心に回転可能に連結されており、第１部材３８ａが図１１に示す退避姿勢にあるとき、第２部材３８ｂを回転軸Ｑ２を中心に第１部材３８ａに対して略直角に折り畳んで保持する（遊技盤７の背面側に起立させる）ことにより、装飾保護部材３８は蓋部材３８ｃの外面ＧＭを上向きにした全体的にＬ字状となるような形状を呈する。ここで、第１部材３８ａの凹所内の空間ＫＭは、導入口３８ｅから挿入される間口領域を狭くすることでワイヤーハーネス３７の移動幅を規制しているが、第２部材３８ｂとの連結部である先端側に向かうにつれて間口領域を広げることにより、第２部材３８ｂを折り畳んだ際の歪みに起因するワイヤーハーネス３７の変位を吸収できるようにしている。
【００２９】
一方、第１部材３８ａが回転軸Ｑ１を中心に回転されて図１２に示す途中姿勢を経由して図１３に示す突出姿勢にあるとき、第２部材３８ｂを回転軸Ｑ２を中心に約９０度回転して、鍔部２３ｃの平面状部ＨＭと遊技盤７の板厚を隔てて略平行となる位置で規制（ストッパ機能）がかかるようにすることで、第２部材３８ｂを第１部材３８ａと一直線にする。これにより、装飾保護部材３８は全体的に長尺な棒状体となるような形状を呈し、この場合、蓋部材３８ｃの外面ＧＭは遊技盤７を透して目視されない状態となる。また、図１２に示すように、第１部材３８ａと第２部材３８ｂにおける凹所の底面外表部ＺＭには意匠部品であるような装飾が施されており、装飾保護部材３８が図１３に示す突出姿勢にあるとき、かかる装飾の施された底面外表部ＺＭが遊技盤７を透して目視されるようになっている。
【００３０】
このような構成のセンター役物２３を遊技盤７に組み込んで一体化する場合、まず、図８と図９に示すように、センター役物２３を遊技盤７の前面側から矢印方向へ組み込み、センター役物２３の突堤壁２３ｂを遊技盤７の開口７ａ内に挿入する。その際、複数本のワイヤーハーネス３７は装飾保護部材３８における前述の収納空間内に収納され、装飾保護部材３８は開口７ａの外側（遊技盤７の前面領域）へ飛び出さないように図１１に示す退避姿勢に保持されており、第１部材３８ａと第２部材３８ｂは回転軸Ｑ２を中心に側面視でＬ字状に折り畳まれた状態（第２部材３８ｂが遊技盤７の裏面に対して起立した状態）となっている。したがって、図１０に示すように、装飾保護部材３８は開口７ａを通過して遊技盤７の裏面側へと挿入され、装飾保護部材３８がセンター役物２３の開口７ａに対する挿入動作の妨げになることはない。この挿入動作に伴ってセンター役物２３の鍔部２３ｃの平面状部ＨＭが開口７ａの周囲に位置する遊技盤７の前面に突き当たる（接触する）ため、センター役物２３の遊技盤７に対する挿入量が規定され、センター役物２３は鍔部２３ｃを盤面に対しネジ止めすることで遊技盤７に固定される。
【００３１】
しかる後、装飾保護部材３８を折り畳んだ状態のまま第１部材３８ａの回転軸Ｑ１を中心に図１０の反時計方向へ約９０度回転し、図１１の退避姿勢にあった装飾保護部材３８を開口７ａの外側（遊技盤７の前面領域）へ突出するよう移動して図１２に示す途中姿勢とする。なお、このように装飾保護部材３８が退避姿勢から途中姿勢に移行する間で、上方を向いていた部材３８ｃの外面ＧＭは横方を向いた状態となる。そして、装飾保護部材３８を鍔部２３ｃの平面状部ＨＭと遊技盤７の板厚を隔てて回転させたため、第１部材３８ａの先端部がセンター役物２３の外縁部から突出して遊技盤７の背面領域に近接して対向し、第２部材３８ｂと蓋部材３８ｃは遊技盤７の裏面と直交するように後方へ延出した起立状態となる。引き続いて装飾保護部材３８を第２部材３８ｂの回転軸Ｑ２を中心に遊技盤７の裏面に近付く方向へ約９０度回転することにより、図１２の途中姿勢にあった装飾保護部材３８を図１３に示す突出姿勢にして保持させる。この突出姿勢で第１部材３８ａと第２部材３８ｂは、遊技盤７の裏面と略平行かつ近接する配置となるように、折り畳み状態から一直線に延ばされて長尺状の装飾保護部材３８となる。これにより、センター役物２３から突出する装飾保護部材３８が遊技盤７の中央領域部から側縁部まで透過性を有する背面を横切って延在する形態となるため、中継基板３６に接続された複数本のワイヤーハーネス３７を装飾保護部材３８で被覆したままの状態で遊技盤７の外縁側まで引き回すことができる。
【００３２】
そして、センター役物２３を組み込んだ遊技盤７と装飾役物部材２０とをネジ止めやスナップ結合等により一体化すると、装飾保護部材３８により覆われた一束状のワイヤーハーネス３７を、遊技盤７の背面（透明領域部）と装飾役物部材２０の前面（装飾表示部）との間にできる空間（装飾表示領域部）に配置させつつ、遊技盤７の外縁部まで引き回して装飾役物部材２０の裏側に設けられた主制御処理部１４の制御基板に接続することができる。したがって、図３の破線で示すように、ワイヤーハーネス３７を保護する装飾保護部材３８が透明な遊技盤７を透して遊技者側から目視されることになり、それ自身が意匠部品であるような装飾を装飾保護部材３８に施すことにより、透明な遊技盤７の後方に意匠性を損なうことなくワイヤーハーネス３７を引き回すことができる。
【００３３】
以上説明したように、本実施形態例に係る遊技機（パチンコ機）は、開口７ａが形成された透明樹脂製の遊技盤７にセンター役物２３を固定し、このセンター役物２３の裏面側に搭載した中継基板（回路基板）３６から導出するワイヤーハーネス３７を装飾保護部材３８で被覆すると共に、この装飾保護部材３８を退避姿勢と突出姿勢との両位置に移動可能としたので、装飾保護部材３８を退避姿勢にしてセンター役物２３の背面側に位置させておくことにより、センター役物２３を開口７ａの前面側から挿入して遊技盤７に固定することができ、しかる後、遊技盤７の背面側で装飾保護部材３８を突出姿勢にして開口７ａの外側領域に位置させることにより、ワイヤーハーネス３７を装飾保護部材３８に被覆されたままの状態で遊技盤７の外縁側まで引き回すことができる。したがって、遊技盤７を透して遊技者側から見えるのは装飾保護部材３８だけとなり、ワイヤーハーネス３７は遊技者側から直接見えなくなるため、例えば、装飾保護部材３８をそれ自身が意匠部品であるかのように装飾したり、装飾保護部材３８の色彩を背景色と同一にして目立たなくすることにより、透明樹脂製の遊技盤７の後方に意匠性を損なうことなく簡単にワイヤーハーネス３７を引き回すことができる。
【００３４】
また、この装飾保護部材３８が、保持カバー４３に回転可能に軸支された第１部材３８ａと、第１部材３８ａの先端側に回転可能に軸支された第２部材３８ｂとを有すると共に、これら第１部材３８ａと第２部材３８ｂの回転軸Ｑ１，Ｑ２が互いに直交する関節構造となっているため、退避姿勢で第１部材３８ａに対して第２部材３８ｂを折り畳んでＬ字状の装飾保護部材３８となし、突出姿勢で第１部材３８ａと第２部材３８ｂを一直線に延ばして長尺状の装飾保護部材３８となすことができる。したがって、センター役物２３の背面側に突出姿勢の装飾保護部材３８を隠すスペースがない場合でも、センター役物２３を遊技盤７の開口７ａに挿入するときだけ装飾保護部材３８をコンパクトに折り畳んで上記スペース内に収納させ、その挿入後に装飾保護部材３８を一直線に延ばして突出姿勢にすれことができる。ただし、センター役物２３の背面側に突出姿勢の装飾保護部材３８を隠すスペースが存在する場合は、第１部材３８ａと第２部材３８ｂが一直線に一体化された関節を持たない長尺状の装飾保護部材とし、このような無関節構造の装飾保護部材をセンター役物２３に回転可能に軸支するようにしても良い。
【００３５】
さらに、透明な遊技盤７の背面に対向配置された装飾役物部材２０を備えており、これら遊技盤７と装飾役物部材２０との間に存する空間に装飾保護部材３８が突出姿勢で配置される構成となっているため、例えば、装飾役物部材２０の前面に施した意匠を装飾保護部材３８の背景として利用したり、装飾役物部材２０に設けた光源の光を装飾保護部材３８に向けて照射することができる。
【００３６】
なお、上記実施形態例では、センター役物２３の裏面側に中継基板３６を覆う保持カバー４３を固定し、この保持カバー４３に装飾保護部材３８の第１部材３８ａを回転可能に軸支しているが、保持カバー４３とは異なる部材に装飾保護部材３８を軸支することも可能であり、例えば、センター役物２３に立設した支軸に装飾保護部材３８を軸支するようにしても良い。
【００３７】
また、上記実施形態例では、装飾保護部材３８の第２部材３８ｂに蓋部材３８ｃを一体化し、これら第２部材３８ｂと蓋部材３８ｃの間にワイヤーハーネス３７が収納・保持されるようになっているが、蓋部材３８ｃを省略して第２部材３８ｂだけでワイヤーハーネス３７を保持するようにしても良い。
【符号の説明】
【００３８】
１  機枠
２  機器本体
３  ガラス扉
４  透明板
６  遊技盤ユニット
７  遊技盤
７ａ  開口
１４  主制御処理部
２０  装飾役物部材
２１  遊技領域
２３  センター役物
２３ａ  開口部
２３ｂ  突堤壁
２３ｃ  鍔部
２４  可変表示装置
２５  アタッカー装置
２６  ステージ
３６  中継基板（回路基板）
３７  ワイヤーハーネス
３８  装飾保護部材
３８ａ  第１部材
３８ｂ  第２部材
３８ｃ  蓋部材
４１  装飾体
４３  保持カバー
４３ａ  軸受突部
Ｑ１，Ｑ２  回転軸
【図１】
0005923333.tif 000002
【図２】
0005923333.tif 000003
【図３】
0005923333.tif 000004
【図４】
0005923333.tif 000005
【図５】
0005923333.tif 000006
【図６】
0005923333.tif 000007
【図７】
0005923333.tif 000008
【図８】
0005923333.tif 000009
【図９】
0005923333.tif 000010
【図１０】
0005923333.tif 000011
【図１１】
0005923333.tif 000012
【図１２】
0005923333.tif 000013
【図１３】
0005923333.tif 000014